(57)【特許請求の範囲】
【請求項１】
少なくとも１つの光素子及び少なくとも１枚の電極を含むホルダと、
前記光素子に対応するように入射光を伝送する少なくとも１本の光ファイバが設けられると共に、ラッチを有するコネクタと、
ベース及びこのベースの両端から延在してなる１対の側壁部からなり、その上下方が共に開口しており、前記ホルダの光素子及び前記光コネクタの光ファイバの入出力端が相対向するように前記ホルダ及びコネクタが差し込まれる凹所、及び前記側壁部に形成されて前記ラッチが係合されるラッチ係合溝を有するハウジングとを含み、
前記コネクタがハウジングに正確に挿入されるようにガイドするガイド手段をさらに具備し、
前記ガイド手段は、
前記コネクタ両側の少なくとも先端部の一部に形成された１対のラウンド部と、
前記ラウンド部に対応するように前記ハウジングの側壁部の内側面にそれぞれ形成されて、前記ラウンド部が摺動挿入される１対のラウンドレールとを含むことを特徴とする光コネクタモジュール。
【請求項２】
前記１対のラウンドレールは相異なる曲率を有し、前記コネクタに形成されるラウンド部もこれに対応するように設けられて、コネクタの正確な挿入方向が表示できるようになったことを特徴とする請求項１に記載の光コネクタモジュール。
【請求項３】
前記ハウジングは、略２ｍｍ以下の厚さを有することを特徴とする請求項１に記載の光コネクタモジュール。
【請求項４】
前記ハウジングの両側につめ部がさらに具備されたことを特徴とする請求項１に記載の光コネクタモジュール。
【請求項５】
前記コネクタの正確な挿入方向が表示できるように、前記コネクタの上面または下面に表示部材がさらに具備されたことを特徴とする請求項１に記載の光コネクタモジュール。
【請求項６】
前記コネクタの前記光ファイバの入出力端が配置された先端に設けられ、前記コネクタに支持される電線と電気的に接続される第１電極部材と、
前記第１電極部材に対応するように前記ホルダに設けられる第２電極部材とをさらに具備し、前記ハウジングへの前記ホルダ及びコネクタの差し込み時に、前記第１及び第２電極部材が電気的に接続されて電気信号が伝送できるようになっていることを特徴とする請求項１に記載の光コネクタモジュール。
【請求項７】
前記第１及び第２電極部材は、それぞれ光ファイバの入出力端及び光素子と並ぶように配設されることを特徴とする請求項６に記載の光コネクタモジュール。
【請求項８】
前記ハウジング、前記ハウジングに差し込まれた前記コネクタ及びホルダが覆えるようにその下方が開口したカバー部材をさらに具備することを特徴とする請求項１に記載の光コネクタモジュール。
【請求項９】
前記カバー部材は、薄手の金属板から作製されることを特徴とする請求項８に記載の光コネクタモジュール。
【請求項１０】
前記カバー部材には、完成されたモジュール組み立て体が所定ディバイスに結合できるように、その両側の下端部に固定部が設けられていることを特徴とする請求項８に記載の光コネクタモジュール。
【請求項１１】
前記カバー部材及びハウジングにはそれぞれ相互対応するように前記カバー部材が前記ハウジングに摺動結合されるようにガイドするガイドつめ及びガイド溝が設けられていることを特徴とする請求項８に記載の光コネクタモジュール。
【発明の詳細な説明】
【０００１】
【発明の属する技術分野】
本発明は光素子と光ファイバとを光結合する光コネクタモジュールに係り、詳細には、薄型化できるように該構造が改善された光コネクタモジュールに関する。
【０００２】
【従来の技術】
一般に、光コネクタモジュールは、光素子と光ファイバとを光結合して光の進行方向をガイドする。この光素子は、入力される電気信号に応じて光を出射する発光素子、または前記光ファイバを介して送られた光を受光する受光素子であり、普通アレイ構造となっている。
【０００３】
この光コネクタモジュールは、例えば、コンピュータ本体とバスとの間、コンピュータ本体とモニターとの間、バスとバスとの間など、情報信号のやり取りをするディバイス間に挟み込まれて、光伝送により情報の伝達を行なうものである。一般に、光コネクタモジュールは、それぞれのチャンネルが別々に光伝送が行えるようにアレイ構造を有する複数チャンネルの光伝送モジュールに採用されて、前記ディバイス間の情報が伝達されるようにする。
【０００４】
図１は、通常の光コネクタモジュールを示す分解斜視図である。これを参照すると、光コネクタモジュールは、通常、光素子２１及び電極２３が設けられたホルダ３０と、光ファイバ６０が設けられるコネクタ５０と、前記光素子２１及び前記光ファイバ６０が整列されるように前記ホルダ３０及びコネクタ５０が差し込まれる挿通溝４３を有するハウジング４０とから構成されている。
【０００５】
ここで、前記ホルダ３０は、前記光素子２１が取り付けられた係合部３３が前記係合溝４３に嵌合されてハウジング４０に差し込まれる。前記コネクタ５０は、弾性片５１から突設されたラッチ５３が前記ハウジング４０に穿設されているラッチ係合穴４５に嵌合されてハウジング４０に差し込まれる。この差し込み過程で、ハウジング４０の一面に突設された基準ポスト４１がホルダ３０に前記基準ポスト４１に対応して穿設された基準ポスト嵌合穴３１に嵌合され、これにより光素子２１及び光ファイバ６０が位置ずれを生じることなく整列される。
【０００６】
ところが、光コネクタモジュールの低コスト化のために、普通、ホルダ、コネクタ及びハウジングはプラスチック製となっている。この理由から、これらは破損し易く、この破損を防止すべく、特に、ハウジングの上下板は、一定以上の厚さをもって作製される必要がある。このことは、前記ハウジング４０の薄型化に妨げとなり、例えば、２ｍｍ以下の薄型コネクタを必要とするノート型パソコンのモニターや液晶モニターなどのフラット表示装置などには適用し難い。
【０００７】
なお、前記ハウジング４０の構造から、ホルダ３０に光素子２１をダイボンディング法及びワイヤボンディング法によって組み付けた上で、前記ホルダ３０のハウジング４０への差し込みがなされるべきであって、サイズが相対的に小さいホルダのジグ作業が難しくなる。しかも、前記ホルダ３０に光ファイバと位置ずれを生じることなく整列されるように光素子を組み付けるための基準点がないため、前記ボンディング作業が困難となる。
【０００８】
【発明が解決しようとする課題】
本発明は、上記事情に鑑みてなされたものであり、その目的は、薄型化でき、ボンディング作業性が向上するように該構造が改善された光コネクタモジュールを提供することである。
【０００９】
【課題を解決するための手段】
前記目的を達成するために、本発明に係る光コネクタモジュールは、少なくとも１つの光素子及び少なくとも１枚の電極を含むホルダと、前記光素子に対応するように入射光を伝送する少なくとも１本の光ファイバが設けられると共に、ラッチを有するコネクタと、ベース及びこのベースの両端から延在してなる１対の側壁部からなり、その上下方が共に開口しており、前記ホルダの光素子及び前記光コネクタの光ファイバの入出力端が相対向するように前記ホルダ及びコネクタが差し込まれる凹所、及び前記側壁部に形成されて前記ラッチが係合されるラッチ係合溝を有するハウジングとを含むことを特徴とする。
【００１０】
好ましくは、前記コネクタがハウジングに正確に挿入されるようにガイドするガイド手段をさらに具備する。
本発明の特徴によると、前記ガイド手段は、前記コネクタの両側面または前記ハウジングの側壁部の内側面に突設されたガイド突起と、前記コネクタの両側面または前記ハウジングの側壁部の内側面に前記ガイド突起に対応するように設けられて、前記ガイド突起が摺動挿入されるガイド溝とを含む。
【００１１】
本発明の他の特徴によると、前記ガイド手段は、前記コネクタ両側の少なくとも先端部の一部に形成された１対のラウンド部と、前記ラウンド部に対応するように前記ハウジングの側壁部の内側面にそれぞれ形成されて、前記ラウンド部が摺動挿入される１対のラウンドレールとを含む。
【００１２】
好ましくは、前記１対のラウンドレールは相異なる曲率を有し、前記コネクタに形成されるラウンド部もこれに対応するように設けられて、コネクタの正確な挿入方向が表示できるようになっている。
また、好ましくは、前記コネクタの前記光ファイバの入出力端が配置された先端に設けられ、前記コネクタに支持される電線と電気的に接続される第１電極部材と、前記第１電極部材に対応するように前記ホルダに設けられる第２電極部材とをさらに具備し、前記ハウジングへの前記ホルダ及びコネクタの差し込み時に、前記第１及び第２電極部材が電気的に接続されて電気信号が伝送できるようになっている。
【００１３】
また、好ましくは、前記ハウジング、前記ハウジングに差し込まれた前記コネクタ及びホルダが覆えるようにその下方が開口したカバー部材をさらに具備する。
ここで、前記カバー部材には、完成されたモジュール組み立て体が所定ディバイスに結合できるように、その両側の下端部に固定部が設けられていることが好ましい。
【００１４】
さらに、本発明に係る光コネクタモジュールは、少なくとも１つの光素子及び少なくとも１本の光ファイバが相対向するように結合されるようになるコネクティングユニットと、その下方が開口しており、前記コネクティングユニットの上面及びその両側面を取り囲むような構造を有し、前記下方が所定ディバイスの基板の上部に相対向するように前記基板に結合されて前記コネクティングユニットを前記基板に設けることにより前記コネクティングユニットの結合状態を堅固に維持させるカバー部材とを含み、前記カバー部材が前記基板と共に前記コネクティングユニットの支持構造体をなすようになっている。
【００１５】
好ましくは、前記コネクティングユニットは、前記光ファイバまたは光素子が着脱自在に設けられており、前記カバー部材は、前記光ファイバまたは光素子が着脱自在な結合口をなすように前方または後方の少なくとも一方が開口している。
【００１６】
【発明の実施の形態】
以下、添付した図面に基づき、本発明を詳細に説明する。
図２を参照すると、本発明の一実施例による光コネクタモジュールは、少なくとも１つの光素子１２１及び少なくとも１枚の電極１２５が設けられたホルダ１２０と、入射光の伝送を行なうための少なくとも１本の光ファイバ１５０が設けられたコネクタ１４０と、前記光素子１２１及び光ファイバ１５０の入出力端１５０ａが相対向するように前記ホルダ１２０及びコネクタ１４０が差し込まれたハウジング１００とから構成される。好ましくは、前記ハウジング１００へのホルダ１２０及びコネクタ１４０の差し込み状態を堅固に維持させると共に、本発明に係る光コネクタモジュールを所定ディバイスに組み付けるための手段として、カバー部材１６０がさらに具備される。ここで、前記ホルダ１２０、コネクタ１４０及びハウジング１００は、光素子１２１及び光ファイバ１５０の選択的な着脱を可能ならしめるコネクティングユニットを構成する。
【００１７】
前記ホルダ１２０の光素子１２１取り付け面の方には、所定の電極パターン１２３ａ、１２３ｂが形成されている。前記光素子１２１は、共通電極パターン１２３ｂ上に設けられ、電極パターン１２３ａとはワイヤボンディングによって結合される。この光素子１２１は、前記電極１２５を介して印加された電気信号に基づき光信号を出射する発光素子及び／または入射される光信号を受光して電気信号に変換して電極１２５を介して伝達する受光素子であり、複数チャンネルを介した信号伝送に即するようにアレイ構造となっている。ここで、好ましくは、前記受光素子はフォトダイオードであり、前記発光素子は半導体物質層の積層方向に向けて光を射出する面発光レーザーである。前記面発光レーザーからの出射ビームがほぼ円形状であるので、別の光結合手段がなくても高い光結合特性が得られる。
【００１８】
前記コネクタ１４０には、前記光素子１２１に対応するように光ファイバ１５０がアレイ状に設けられ、前記ハウジング１００への差し込み時には別の締結手段なしにも固定できるようにラッチ１４３がその両側に突設される。前記ラッチ１４３は、前記コネクタ１４０の光ファイバ１５０の貼り合わせ部分近傍に可撓性をもって設けられた弾性片１４１から突設されており、またこの弾性片１４１の前方には、コネクタ１４０のハウジング１００への差し込みをガイドするためのガイド突起１４５が形成されている。また、好ましくは、前記コネクタ１４０の上面には、コネクタ１４０のハウジングへの差し込み方向が表示できるように表示部材１４７が形成される。前記光ファイバ１５０は、例えば、直径が略０．５ｍｍのプラスチック製であることが要され、この要求に応えて前記コネクタ１４０は通常のプラスチックから作製される。前記光ファイバ１５０は、前記コネクタ１４０に接着剤によって固定される。もしくは、前記光ファイバ１５０は、前記コネクタ１４０の作製に際し、インサートモールド方式によって固定される。
【００１９】
前記ハウジング１００は、ベース部１１１及び前記ベース部１１１の両端から延在されてなる１対の側壁部１１３、１１３を有し、前記両側壁部１１３、１１３の内壁側には前記コネクタ１４０の弾性片１４１から突設されたラッチ１４３が係合されるためのラッチ係合溝１０３、及び前記コネクタ１４０のハウジングへの差し込み位置をガイドするように前記ガイド突起１４５が摺動されて挟み込まれるガイド溝１０５が形成されている。このハウジング１００は、その上下方が開口しており、前記ベース１１１及び１対の側壁部１１３、１１３によって形成された凹所１１０には前記ホルダ１２０及びコネクタ１４０が差し込まれる。従って、この凹所１１０は、前記光素子１２１及び光ファイバ１５０の入出力端１５０ａが位置ずれを生じることなく相対向するように前記ホルダ１２０及びコネクタ１４０が差し込まれる差し込み穴をなす。
【００２０】
また、このハウジング１００は、その構造から、厚さ（ｔと表示されている）が十分薄いプラスチックから作製できる。しかも、前記ホルダ１２０もプラスチックから作製できるので、光コネクタモジュールの低コスト化が図れる。
【００２１】
具体的に、前記ハウジング１００は、例えば、２ｍｍ以下、好ましくは、略１．７ｍｍの厚さ寸法を有する。また、このハウジング１００に差し込まれる前記コネクタ１４０及びホルダ１２０は、このハウジング１００に対応する厚さ寸法またはその以下の厚さ寸法を有する。この場合、後述のように、光コネクタモジュールは、カバー部材１６０と共に全体的に２ｍｍ以下の厚さにて作製できる。そこで、本発明に係る光コネクタモジュールは、フラット表示装置、特に、２ｍｍ以下に薄手のコネクタを必要とするノート型パソコンの表示装置に採用されて、その本体からの画像信号が光電変換でき、これにより高速な画像信号のやり取りが可能となる。
【００２２】
一方、前記のような構造を有するハウジング１００は、凹所１１０の上下方が開口しているので、ボンディング作業に要される十分な空間が得られている。そこで、前記ベース１１１にホルダ１２０を搭載したまま光素子１２１のダイボンディング及びワイヤボンディングができ、これによりハウジング１００及びホルダ１２０が一体的になる。この場合、ハウジング１００上の一地点、好ましくは、前記ガイド溝１０５を基準として光素子１２１のボンディング作業を行なうと、光ファイバ１５０及び光素子１２１を位置ずれを生じることなく整列させるための基準点が明確になり、組立て作業が容易となる。
【００２３】
一方、ボンディング作業済みのホルダ１２０が搭載されたハウジング１００の両側壁部１１３、１１３間にコネクタ１４０が挟み込まれると、前記弾性片１４１は前記両側壁部１１３、１１３の側壁に当接されて内側に弾性変形され、このとき、前記ラッチ１４３は前記ラッチ係合溝１０３に達した時に復元されて前記ラッチ係合穴１０３に嵌合される。これにより、コネクタ１４０が前記ハウジング１００から容易には離脱されない。その一方、前記弾性片１４１を内側に人為的に弾性変形させる場合には、ラッチ係合溝１０３からラッチ１４３の係合が解除される。
【００２４】
前記カバー部材１６０は、前記ハウジング１００、コネクタ１４０及びホルダ１２０同士の結合を堅固に維持させると共に、本発明に係る光コネクタモジュール、すなわち、コネクティングユニットを所定ディバイスに組み付ける機能をする。このカバー部材１６０は、その下方が開口し、前記コネクティングユニットの上面及びその両側面を取り囲めるような構造となっている。また、前記開口した下方が所定ディバイスの基板上部と相対向するように結合される。従って、前記カバー部材１６０は基板、例えば、後述するプリント配線板（図３中１７０）と共に前記コネクティングユニットの支持構造体を形成する。
【００２５】
具体的に、前記カバー部材１６０は、例えば、厚さが略０．２〜０．３ｍｍと
0003636634.tif 000002
イバ１５０が貼り合わせられたコネクタ１４０が着脱自在にその前方が開口している。あるいは、コネクティングユニットが前記光素子１２１搭載のホルダ１２０を選択的に着脱できるように設けられ、前記カバー部材１６０の後方が開口しているようにしても良い。
【００２６】
前記のようなカバー部材１６０は、前記ハウジング１００の上面及び両側壁部１１３、１１３の外側を取り囲み、前記ハウジング１００に張架されたまま維持される。従って、前記のように、本発明に係る光コネクタモジュールは、全体として略２ｍｍ以下の厚さ（図３中ｔ’）に作製できる。
【００２７】
一方、前記カバー部材１６０の両側下端部には固定部１６１が設けられる。この固定部１６１は、本発明に係る光コネクタモジュールのプリント配線板などのディバイスへの組み付け時に使用される。例えば、図３の部材番号１６５に示されたように、前記固定部１６１をプリント配線板１７０上に半田付けすることで、光コネクタモジュールのプリント配線板への組み付けが可能になる。あるいは、前記固定部１６１に貫通孔（図示せず）を形成し、この貫通孔にネジを捻じり込めてプリント配線板への組み付けを行なっても良い。このように、光コネクタモジュールがプリント配線板１７０などに組み付けられた場合であっても、前記コネクタ１４０は弾性片１４１を人為的に弾性変形させることで、ハウジング１００から容易に取り外すことができる。
【００２８】
ここで、前記ディバイスは、ノート型パソコンの表示装置側の液晶表示素子を駆動するためのプリント配線板であり得、高速の信号伝送及び薄手のコネクタが要される任意の装置でありうる。
【００２９】
以下、本発明の一実施例による光コネクタモジュールの組み立てプロセスを詳述する。先ず、ハウジング１００のベース１１１にホルダ１２０を結合して一体的にする。次に、前記ホルダ１２０に光素子１２１をダイボンディング法によって取り付けた後、光素子１２１と電極１２５との電気接続のためにワイヤボンディングを施す。次に、ボンディング作業の完了したハウジング１００に光ファイバ１５０が貼り合わせられたコネクタ１４０をそのガイド突起１４５がハウジング１００のガイド溝１０５に嵌合されるように位置づけし、摺動挿入すると、前記ラッチ１４３がラッチ係合溝１０３に係止されてコネクタ１４０がハウジング１００に係合固定される。このとき、光素子１２１及び光ファイバ１５０の入出力端１５０ａは相対向して整列される。この状態で、ハウジング１００に前記カバー部材１６０を結合すれば、組み立てが完了する。
【００３０】
このように組み立てられた光コネクタモジュールは、カバー部材１６０の固定部１６１をプリント配線板などのディバイスに半田付けしたり、あるいは螺合することで設けられる。また、前記カバー部材１６０の適宜な形状変更によってその結合構造が異なりうる。
【００３１】
一方、図４に示されたように、カバー部材２６０の内側にガイド爪２６５を形成し、これに対応してハウジング２００の側壁部２１３にベース部１１１側からから前記コネクタ１４０が差し込まれる長手方向にガイド溝２１５を形成することもできる。このとき、前記カバー部材２６０は、前記コネクタ１４０の差し込み方向と逆の方向にハウジング２００に摺動挿入されて結合される。従って、ハウジング２００とカバー部材２６０との結合が一層堅固になる。
【００３２】
図５は、本発明の他の実施例による光コネクタモジュールの概略的な分解斜視図であって、その特徴とするところは、ハウジング２００にホルダ２２０及びコネクタ２４０を結合することにより電気的に接続されて電気信号を伝送するように設けられた電気信号カップリング手段をさらに具備していることである。ここで、図２及び図４での同一符号は、同一の部材を表わす。
【００３３】
この実施例は、電気信号カップリング手段としてコネクタ２４０に設けられた複数の第１電極部材２５５、及びこれに対応してホルダ２２０に設けられた複数の第２電極部材２３０を具備する。前記第１電極部材２５５は、前記光ファイバ１５０の入出力端１５０ａが設けられた先端に突出されてコネクタ２４０に設けられ、また前記コネクタ２４０の長手方向に沿って弾性変形自在に設けられ、前記コネクタ２４０に支持される複数の電線２５０と電気的に接続される。前記第２電極部材２３０は、光素子１２１アレイの一側に設けられる。従って、ホルダ２２０が設けられているハウジング２００へのコネクタ２４０の差し込み時に第１電極部材２５５が第２電極部材２３０に押圧されつつ、安定に接続される。
【００３４】
好ましくは、前記第１及び第２電極部材２５５及び２３０は、薄型化しようとする光コネクタモジュールの構造から、光ファイバ１５０及び光素子１２１と並ぶように配置される。また、電気信号カップリング手段が１対の電気信号伝送経路を有すると示されているが、必要あれば、その形状及び伝送経路の数を自由に変更できる。
【００３５】
前記のような電気信号カップリング手段を採用した光コネクタモジュールは、電線２５０を介して入力された電源を前記電気信号カップリング手段により光素子１２１側に供給して前記光素子２３５を駆動できる。前記第２電極部材２３０と電気的に接続された電極１２５を光コネクタモジュールが設けられるディバイスなどに電気的に接続させると、前記光コネクタモジュールを介して前記ディバイスの駆動電源を供給することもできる。また、前記とは逆に、電源を供給することもできる。
【００３６】
従って、本発明に係る光コネクタモジュールをノート型パソコンの本体と液晶表示装置との信号やり取りに採用すると、前記本体に設けられた本発明に係る光コネクタモジュールで電気的な画像信号を光信号に変換した後に、光ファイバ１５０を介して伝送し、これをさらに液晶表示装置側に設けられた本発明の光コネクタモジュールで電気的な画像信号に変換する過程で画像信号の高速伝送が可能となる。加えて、液晶表示装置を駆動するための電源が供給できる。
【００３７】
図６は、光素子１２１及び光ファイバ１５０が位置ずれなく整列されるようにハウジング３００にコネクタ３４０の設置位置をガイドする手段の他の実施例を示すものである。この手段は、コネクタ３４０両側の少なくとも先端部の一部にそれぞれ形成された１対のラウンド部３４５と、前記ラウンド部３４５に対応してハウジング３００の側壁部３１３の内壁にそれぞれ形成されたラウンドレール３０５とから構成される。このとき、前記１対のラウンドレール３０５は相異なる曲率を有し、前記ラウンド部３４５もこれに対応して設けられることが好ましい。この場合、コネクタ３４０の正確な差し込み位置が区分でき、前記ラウンド部３４５がラウンドレール３０５に沿って摺動挿入されながら、コネクタ３４０がハウジング３００に差し込まれて、光ファイバ１５０及び光素子が位置ずれなく整列される。このガイド手段は、図２、図４及び図５の光コネクタモジュールに適用可能である。
【００３８】
一方、ボンディング作業は、ホルダをハウジングに固定結合し、前記ハウジングをジグ装置（図示せず）にて支持した状態で行なうが、このボンディング作業が円滑になされるように本発明に係るハウジング４００には、図７に示されたように、側壁部４１３の外側に爪部４１７がさらに具備できる。この爪部４１７は前記ジグ装置にハウジング４００を取り付ける基準となると共に、ジグ装置にハウジング４００を容易に支持できるようにする。このとき、カバー部材は適宜形状変更できる。
【００３９】
【発明の効果】
以上述べてきたように、本発明に係る光コネクタモジュールは、光ファイバ及び光素子が位置ずれを生じることなく正確に整列されるようにコネクタ及びホルダが差し込まれるハウジングの凹所が上下方に開口した構造を有することから、薄手のハウジングが作製できる。また、カバー部材が、その下方が開口した構造を有することから、光コネクタモジュールの薄型化に寄与できる。これにより、本発明に係る光コネクタモジュールは、その厚さが十分に薄くでき、ノート型パソコンの表示装置などのように、薄手のコネクタが必要とされるディバイスに採用されて高速の信号のやり取りができる。
【００４０】
一方、前記凹所が上下方に開口した構造を有することから、ハウジングにホルダが差し込まれた状態で光素子のボンディング作業が行なえるので、前記ハウジングのサイズが相対的に大きくてボンディング作業のためのジグが易しい。さらに、前記ハウジングに形成されたガイド溝を基準に光素子のボンディングを行なうことから、光ファイバ及び光素子を位置ずれを生じることなくボンディングするための基準点が明確になる。これにより、ボンディング作業が容易になる。
【図面の簡単な説明】
【図１】   通常の光コネクタモジュールの構成を概略的に示す分解斜視図である。
【図２】   本発明の一実施例による光コネクタモジュールの構成を概略的に示す分解斜視図である。
【図３】   図２の光コネクタモジュールがプリント配線板に取り付けられた状態を示す斜視図である。
【図４】   本発明に係るハウジング及びカバー部材の他の実施例を概略的に示す分解斜視図である。
【図５】   本発明の他の実施例による光コネクタモジュールの構成を概略的に示す分解斜視図である。
【図６】   本発明に係るガイド手段の他の実施例を概略的に示す図面である。
【図７】   本発明に係るハウジングのさらに他の実施例を概略的に示す斜視図である。
【符号の説明】
１００  ハウジング
１０３  ラッチ係合溝
１０５  ガイド溝
１１０  凹所
１１３  側壁部
１２０  ホルダ
１２１  光素子
１２３ａ  電極パターン
１２３ｂ  電極パターン
１２５  電極
１４０  コネクタ
１４１  弾性片
１４３  ラッチ
１４５  ガイド突起
１４７  表示部材
１５０  光ファイバ
１５０ａ  光ファイバの入出力端
１６０  カバー部材
１６１  固定部
【図１】
0003636634.tif 000003
【図２】
0003636634.tif 000004
【図３】
0003636634.tif 000005
【図４】
0003636634.tif 000006
【図５】
0003636634.tif 000007
【図６】
0003636634.tif 000008
【図７】
0003636634.tif 000009